(57)【要約】【課題】デジタル放送信号内の緊急信号のみを受信することを目的とし、低消費電力で電池駆動可能な構成とした受信装置を提供する。【解決手段】警報部１２は、受信部１１が緊急警報フラグ信号を受信すると、一定期間、ＬＥＤ２２を発光させ、その後、警報終了信号を制御部１３に与える。制御部１３は、受信部１１が緊急警報フラグ信号を受信しない間は、受信部１１及び駆動回路２３が一定期間、動作状態となり、その後、受信部１１及び駆動回路２３が一定期間、休止状態となる状態が繰り返されるように、受信部１１及び駆動回路２３を断続的に動作させる。そして、受信部１１が緊急警報フラグ信号を受信すると、駆動回路２３から警報終了信号が与えられるまでは、受信部１１及び駆動回路２３を動作状態とし、警報終了信号が与えられると、再び、受信部１１及び駆動回路２３を断続的に動作させる。【選択図】          図１
2006060458.tif 000002
【特許請求の範囲】
【請求項１】
デジタル放送信号内の緊急信号のみを受信する受信部と、
該受信部を断続的に動作させる制御部を有する
ことを特徴とする受信装置。
【請求項２】
前記受信部は、特定の一チャンネルのデジタル放送信号のみの緊急信号を受信する
ことを特徴とする請求項１記載の受信装置。
【請求項３】
前記受信部が緊急信号を受信した場合には、警報を出力する警報部を有し、
前記制御部は、前記受信部が一定期間、緊急信号を受信しないと、一定期間、前記受信部及び前記警報部を休止状態に制御する
ことを特徴とする請求項１又は２記載の受信装置。
【請求項４】
前記警報部は、前記警報として、光又は音を出力する
ことを特徴とする請求項３記載の受信装置。
【請求項５】
ブラウザ搭載機器に搭載され、
前記受信部が緊急警報フラグ信号を受信した場合、ブラウザを起動し、インターネット上の緊急情報提供元に自動的にアクセスさせるブラウザ起動部を有する
ことを特徴とする請求項１、２、３又は４記載の受信装置。
【発明の詳細な説明】
【技術分野】
【０００１】
本発明は、デジタル放送信号内の緊急信号のみを受信する受信装置に関する。
【背景技術】
【０００２】
近年、デジタル信号を伝送する方式として、ＯＦＤＭ（Orthogonal Frequency Division Multiplexing）方式と呼ばれる伝送方式が提案されている。ＯＦＤＭ方式は、周波数軸上で直交している複数のキャリアにデータを割り当てて伝送する方式であり、周波数利用効率が高いことから、地上波デジタル放送への適用が広く検討されており、ＩＳＤＢ−Ｔ（Integrated Services Digital Broadcasting-Terrestrial）規格では採用されている。
【０００３】
図７は一般的な地上波デジタル放送受信装置の要部の回路図である。図７中、１はアンテナ、２は受信チャンネルを選択して受信信号を中間周波数信号に変換するチューナ、３はチューナ２が出力する中間周波数信号をアナログ信号からデジタル信号に変換するＡ／Ｄ変換器である。
【０００４】
４はＡ／Ｄ変換器３の出力を複素ベースバンド信号に変換する直交復調器、５は直交復調器４が出力する複素ベースバンド信号をＦＦＴ（Fast Fourier Transform）処理して時間領域信号から周波数領域信号に変換してキャリアデータを出力するＦＦＴ回路、６はＦＦＴ処理に使用するメモリである。
【０００５】
ここで、ＦＦＴ回路５が出力するキャリアデータには、本来のデータ伝送に用いられるキャリア以外に、同期検波に用いられるＳＰ（Scattered Pilot）信号や、付加情報に用いられるＡＣ（Auxiliary Channel）信号や、伝送パラメータ情報等に用いられるＴＭＣＣ（Transmission and Multiplexing Configuration Control）信号の伝送に用いられるキャリアが含まれている。
【０００６】
７はＦＦＴ回路５が出力するキャリアデータから、ＡＣキャリア及びＴＭＣＣキャリアを選択するＡＣ・ＴＭＣＣキャリア選択回路、８はＡＣ・ＴＭＣＣ選択回路７から出力されるＡＣキャリア及びＴＭＣＣキャリアを入力してＴＭＣＣ信号を復調してＴＭＣＣ情報を出力するＴＭＣＣ復調回路である。
【０００７】
９はＡＣキャリア及びＴＭＣＣキャリア以外のＦＦＴ出力を入力して伝送路の周波数応答からデータキャリアの等化処理を行い、復調データを出力する等化処理部、１０は等化処理部９が出力する復調データを入力して誤り訂正処理を行い、ＴＳ（Transform Stream）を出力する誤り訂正部である。
【特許文献１】特開２００１―９４９０２号公報
【発明の開示】
【発明が解決しようとする課題】
【０００８】
ここで、デジタル放送信号内の緊急信号のみを受信することを目的とする受信装置があれば、防災上便利であるし、また、これを電池駆動方式として構成する場合には、低消費電力とする必要がある。しかし、図７に示すような受信装置では、回路規模が大きく、消費電力が大きすぎ、電池駆動方式とすることができない。
【０００９】
本発明は、かかる点に鑑み、デジタル放送信号内の緊急信号のみを受信することを目的とし、低消費電力で電池駆動可能な構成とした受信装置を提供することを目的とする。
【課題を解決するための手段】
【００１０】
本発明の受信装置は、デジタル放送信号内の緊急信号のみを受信する受信部と、該受信部を断続的に動作させる制御部を有するというものである。
【発明の効果】
【００１１】
本発明によれば、受信部は、デジタル放送信号内の緊急信号のみを受信するので、その回路構成は簡易なものとなり、消費電力の小さいものとなるが、デジタル放送信号内の緊急信号のみを受信する場合には、受信部を常時動作状態にする必要はなく、断続的に動作させれば足りる。そこで、本発明では、制御部が受信部を断続的に動作させるとし、更なる低消費電力化を図るようにしている。したがって、電池駆動方式とすることができる。
【発明を実施するための最良の形態】
【００１２】
以下、図１〜図６を参照して、本発明の第１実施形態〜第４実施形態について、本発明を地上波デジタル放送信号内の緊急信号のみを受信する受信装置に適用した場合を例にして説明するが、本発明は、その他のデジタル放送信号内の緊急信号を受信する受信装置にも適用することができるものである。
【００１３】
（第１実施形態）
図１は本発明の第１実施形態の要部の回路図である。図１中、１１は地上波デジタル放送信号内のＴＭＣＣ信号内の緊急信号のみを受信する受信部、１２は受信部１１が緊急信号を受信した場合にユーザに対して警報を出力する警報部、１３は受信部１１及び警報部１２の動作を制御する制御部である。
【００１４】
受信部１１において、１４はアンテナ、１５はアンテナ１１が受信した信号を中間周波数信号に変換するチューナである。チューナ１５は、受信チャンネルを一つに固定され、特定の放送局のデジタル放送信号のみを選局することができるようにされている。本発明はデジタル放送信号内のＴＭＣＣ信号内の緊急信号のみを受信することを目的としているので、チューナ１５は、全放送局を受信する必要もなく、放送局を固定しておいても何ら問題はない。
【００１５】
１６はチューナ１５が出力する中間周波数信号をアナログ信号からデジタル信号に変換するＡ／Ｄ変換器、１７はＡ／Ｄ変換器１６の出力を複素ベースバンド信号に変換する直交復調器、１８は直交復調器１７が出力する複素ベースバンド信号をＦＦＴ処理して時間領域信号から周波数領域信号に変換してキャリアデータを出力するＦＦＴ回路、１９はＦＦＴ処理に使用するメモリである。
【００１６】
２０はＦＦＴ回路１８の出力からＡＣキャリア及びＴＭＣＣキャリアを選択するＡＣ・ＴＭＣＣキャリア選択回路、２１はＡＣ・ＴＭＣＣキャリア選択回路２０から出力されるＡＣキャリア及びＴＭＣＣキャリアを入力してＴＭＣＣ信号内の特定ビット（例えば、ビット２６）の緊急警報フラグ信号のみを復調して出力するものである。
【００１７】
即ち、本発明の第１実施形態は、緊急信号として、特定の放送局のデジタル放送信号内のＴＭＣＣ信号内の特定ビット（例えば、ビット２６）の緊急警報フラグ信号のみを受信するものであり、緊急警報フラグ信号は、緊急警報信号を伝送する場合には“１”、緊急警報信号を伝送しない場合には“０”とされるものである。なお、本発明の第１実施形態では、等化処理部及び誤り訂正部は設けられてない。
【００１８】
警報部１２において、２２はＬＥＤ、２３はＬＥＤ２２を駆動する駆動回路である。駆動回路２３は、タイマ２４を有しており、受信部１１が緊急警報フラグ信号を受信すると、即ち、ＴＭＣＣ復調回路２１が緊急警報フラグ信号として“１”を出力すると、タイマ２４に制御されてＬＥＤ２２を一定期間駆動してＬＥＤ２２を発光させ、ＬＥＤ光を警報としてユーザに与え、その後、一定期間が終了すると、警報終了信号を制御部１３に与えるものである。
【００１９】
また、制御部１３は、タイマ２５を有しており、受信部１１及び駆動回路２３を断続的に動作させるものであり、受信部１１が緊急警報フラグ信号を受信しない間、即ち、ＴＭＣＣ復調回路２１が緊急警報フラグ信号として“１”を出力しない間は、受信部１１及び駆動回路２３が一定期間（例えば、１秒間）動作状態となり、その後、受信部１１及び駆動回路２３が一定期間（例えば、数分間）休止状態となる状態が繰り返されるように、受信部１１及び駆動回路２３を制御する。
【００２０】
そして、制御部１３は、受信部１１が緊急警報フラグ信号を受信すると、即ち、ＴＭＣＣ復調回路２１が緊急警報フラグ信号として“１”を出力すると、駆動回路２３から警報終了信号が与えられるまでは、受信部１１及び駆動回路２３を動作状態とし、駆動回路２３から警報終了信号が与えられると、再び、受信部１１及び駆動回路２３を断続的に動作させるように制御する。
【００２１】
ここに、受信部１１は、地上波デジタル放送信号内のＴＭＣＣ信号内の緊急警報フラグ信号のみを受信するように構成されているので、回路構成は簡易なものとなる。具体的には、チューナ１５は、受信チャンネルを一つに固定されているので、その回路構成は簡略なものとなる。
【００２２】
また、一般の地上波デジタル放送受信装置の場合、ＦＦＴ回路は、地上波デジタル放送では、1セグメント当たり４３２個のデータがあるため、図２（Ａ）に示すように、１３セグメント放送では、４３２×１３＝５６１６のデータが必要となり、最低、８１９２ポイントのＦＦＴ処理が行われなければならず、規模の大きい回路となる。
【００２３】
これに対して、本発明の第１実施形態では、ＴＭＣＣ信号内の緊急警報フラグ信号のみの受信が目的であるため、図２（Ｂ）に破線２６で示すように、ＦＦＴ処理の範囲をＴＭＣＣキャリアが集中している帯域に限定することが可能になり、６４ポイントＦＦＴでの処理で可能となる。したがって、ＦＦＴ回路１８は回路構成の簡易なもので足りる。なお、図２（Ｂ）では、モード３の場合のＡＣキャリア及びＴＭＣＣキャリアの番号を示している。
【００２４】
このように、本発明の第１実施形態では、ＦＦＴ回路１８におけるサンプリングレートを８１９２ポイントから６４ポイントへと、１２８分の１にまで削減できるため、Ａ／Ｄ変換回路１６におけるサンプリングレートも同様に、４ＭＨzから３２ＫＨzへと、１２８分の１までに低速化することができ、消費電力は極めて小さいものとなる。
【００２５】
以上のように、本発明の第１実施形態によれば、地上波デジタル放送信号内のＴＭＣＣ信号内の緊急警報フラグ信号のみを受信する受信部１１を断続的に動作させることができるように構成されているので、低消費電力化を図ることができ、電池駆動方式とすることができる。
【００２６】
（第２実施形態）
図３は本発明の第２実施形態の要部の回路図である。本発明の第２実施形態は、図１に示す本発明の第１実施形態が備える警報部１２と機能の異なる警報部２７を設け、その他については、図１に示す本発明の第１実施形態と同様に構成したものである。
【００２７】
警報部２７において、２８は警報音発生装置、２９は警報音発生装置２８を駆動する駆動回路である。駆動回路２９は、タイマ３０を有しており、受信部１１が緊急警報フラグ信号を受信すると、即ち、ＴＭＣＣ復調回路２１が緊急警報フラグ信号として“１”を出力すると、タイマ３０に制御されて警報音発生装置２８を一定期間駆動して警報音を発生させ、その後、一定期間が終了すると、警報終了信号を制御部１３に与えるものである。
【００２８】
本実施形態では、制御部１３は、受信部１１及び駆動回路２９を断続的に動作させるように受信部１１及び駆動回路２９を制御する。即ち、受信部１１が緊急警報フラグ信号を受信しない間、即ち、ＴＭＣＣ復調回路２１が緊急警報フラグ信号として“１”を出力しない間は、受信部１１及び駆動回路２９が一定期間、動作状態となり、その後、受信部１１及び駆動回路２９が一定期間、休止状態となる状態が繰り返されるように、受信部１１及び駆動回路２９を制御する。
【００２９】
そして、制御部１３は、受信部１１が緊急警報フラグ信号を受信すると、即ち、ＴＭＣＣ復調回路２１が緊急警報フラグ信号として“１”を出力すると、駆動回路２９から警報終了信号が与えられるまでは、受信部１１及び駆動回路２９を動作状態とし、駆動回路２９から警報終了信号が与えられると、再び、受信部１１及び駆動回路２９を断続的に動作させるように制御する。
【００３０】
以上のように、本発明の第２実施形態によれば、地上波デジタル放送信号内のＴＭＣＣ信号内の緊急警報フラグ信号のみを受信する受信部１１を断続的に動作させることができるように構成されているので、低消費電力化を図ることができ、電池駆動方式とすることができる。
【００３１】
（第３実施形態）
図４は本発明の第３実施形態の要部の回路図である。本発明の第３実施形態は、図１に示す本発明の第１実施形態が備える受信部１１及び警報部１２と機能の異なる受信部３１及び警報部３２を設け、その他については、図１に示す本発明の第１実施形態と同様に構成したものである。
【００３２】
受信部３１は、図１に示す受信部１１が備えるＴＭＣＣ復調回路２１と機能の異なるＴＭＣＣ復調回路３３を設け、その他については、図１に示す受信部１１と同様に構成したものである。
【００３３】
ＴＭＣＣ復調回路３３は、ＴＭＣＣ信号内の特定ビット（例えば、ビット２６）の緊急警報フラグ信号のほか、ＴＭＣＣ信号内のリザーブビット（例えば、１０７〜１２１）の一部分に割り当てられる信号を復調するものである。本実施形態では、特定のリザーブビット（例えば、ビット１０７、１０８）に災害種類信号が割り当てられ、特定のリザーブビット（例えば、ビット１０７、１０８）が、例えば、“００”の場合には、発生した災害が「地震」、“０１”の場合には「津波」、“１０”の場合には「その他」を示すことを仮定している。
【００３４】
即ち、本発明の第３実施形態は、緊急信号として、ＴＭＣＣ信号内の特定ビット（例えば、ビット２６）の緊急警報フラグ信号及びＴＭＣＣ信号内の特定のリザーブビット（例えば、ビット１０７、１０８）の災害種類信号（緊急警報信号）のみを受信するものであり、これら緊急警報フラグ信号及び災害種類信号は、警報部３２の駆動回路に与えられる。
【００３５】
警報部３２において、３４〜３６は発光色を異にするＬＥＤ、３７はＬＥＤ３４〜３６を駆動する駆動回路である。駆動回路３７は、タイマ３８を有しており、受信部３１が緊急警報フラグ信号を受信すると、即ち、ＴＭＣＣ復調回路３３が緊急警報フラグ信号として“１”を出力すると、タイマ３８に制御されてＬＥＤ３４〜３６のうち、災害種類信号の内容に応じて、予め決められているＬＥＤを一定期間駆動して発光させ、その後、一定期間が終了すると、警報終了信号を制御部１３に与えるものである。
【００３６】
本実施形態では、制御部１３は、受信部３１及び駆動回路３７を断続的に動作させるように受信部３１及び駆動回路３７を制御する。即ち、受信部３１が緊急警報フラグ信号を受信しない間、即ち、ＴＭＣＣ復調回路３３が緊急警報フラグ信号として“１”を出力しない間は、受信部３１及び駆動回路３７が一定期間、動作状態となり、その後、受信部３１及び駆動回路３７が一定期間、休止状態となる状態が繰り返されるように、受信部３１及び駆動回路３７を制御する。
【００３７】
そして、制御部１３は、受信部３１が緊急警報フラグ信号を受信すると、即ち、ＴＭＣＣ復調回路３３が緊急警報フラグ信号として“１”を出力すると、駆動回路３７から警報終了信号が与えられるまでは、受信部３１及び駆動回路３７の動作を休止させないように動作し、駆動回路３７から警報終了信号が与えられると、再び、受信部３１及び駆動回路３７を断続的に動作させるように制御する。
【００３８】
以上のように、本発明の第３実施形態によれば、地上波デジタル放送信号内のＴＭＣＣ信号内の緊急警報フラグ信号のみを受信する受信部３１を断続的に動作させることができるように構成されているので、低消費電力化を図ることができ、電池駆動方式とすることができると共に、災害の種類により発光色を変えることができるので、本発明の第１実施形態の場合よりも利便性の高いものとなる。
【００３９】
なお、災害種類信号の内容によりＬＥＤ３４〜３６のいずれかを発光させる代わりに、発光する個数を変えるようにしても良いし、また、ＬＥＤ３４〜３６の代わりに、警報音発生手段を設け、災害種類信号の内容に応じて警報音の音色、大きさ等を変えるようにしても良い。
【００４０】
（第４実施形態）
図５は本発明の第４実施形態の要部の回路図である。本発明の第４実施形態は、ブラウザ及びＧＰＳ機能を搭載した機器、例えば、携帯端末に搭載されたものであり、図１に示す本発明の第１実施形態が備える警報部１２の代わりに、ブラウザ起動部３９、ＧＰＳ機能起動部４０を設け、その他については、図１に示す本発明の第１実施形態と同様に構成したものである。
【００４１】
ブラウザ起動部３９は、受信部１１が緊急警報フラグ信号を受信すると、携帯端末に搭載されているブラウザを起動し、インターネット上の災害情報提供元に自動的にアクセスさせるものである。ＧＰＳ機能起動部４０は、受信部１１が緊急警報フラグ信号を受信すると、携帯端末に搭載されているＧＰＳ機能を起動させ、災害地域と現在位置との関係を表示させるものである。
【００４２】
本実施形態では、制御部１３は、受信部１１、ブラウザ起動部３９及びＧＰＳ機能起動部４０を断続的に動作させるように受信部１１、ブラウザ起動部３９及びＧＰＳ機能起動部４０を制御する。即ち、受信部１１、ブラウザ起動部３９及びＧＰＳ機能起動部４０が一定期間、動作状態となり、その後、受信部１１、ブラウザ起動部３９及びＧＰＳ機能起動部４０が一定期間、休止状態となる状態が繰り返されるように、受信部１１、ブラウザ起動部３９及びＧＰＳ機能起動部４０を制御する。
【００４３】
以上のように、本発明の第４実施形態によれば、地上波デジタル放送信号内のＴＭＣＣ信号内の緊急警報フラグ信号のみを受信する受信部１１を断続的に動作させることができるように構成されているので、低消費電力化を図ることができ、電池駆動方式とすることができる。
【００４４】
なお、ブラウザ起動部３９及びＧＰＳ機能起動部４０を設ける代わりに、ブラウザ起動部３９及びＧＰＳ機能起動部４０のいずれかのみを設けるようにしても良いし、更に、また、本発明の第１実施形態が備える警報部１２、第２実施形態が備える警報部２７又は第３実施形態が備える警報部３２を加えるようにしても良い。
【００４５】
（応用例）
図６は本発明の第２実施形態の応用例を示す図である。（Ａ）は本発明の第２実施形態をネックレス４１に付けられたペンダント４２に内蔵したものであり、アンテナ１４をチェーン４３内に這わせた場合を示し、（Ｂ）は本発明の第２実施形態を腕時計４４の本体４５に内蔵したものであり、アンテナ１４をバンド４６内に這わせたものである。このように、本発明は、腕時計やペンダント等、様々なものに搭載可能である。
【００４６】
なお、特許文献１には、視聴や録画を行っていない場合、ＴＭＣＣ信号の受信に関係のない主信号用の回路部分を休止状態にして低消費電力化を図る技術が開示されているが、本発明は、ＴＭＣＣ信号内の緊急信号のみの受信を行う受信装置であり、ＴＭＣＣ信号内の緊急信号のみを受信する受信部を断続的に動作させることにより低消費電力化を図ることを特徴としており、特許文献１に記載の技術から示唆されるものではない。
【００４７】
ここで、本発明の受信装置を整理すると、本発明の受信装置には、少なくとも、以下の受信装置が含まれる。
【００４８】
（付記１）デジタル放送信号内の緊急信号のみを受信する受信部と、該受信部を断続的に動作させる制御部を有することを特徴とする受信装置。
【００４９】
（付記２）前記受信部は、特定の一チャンネルのデジタル放送信号のみの緊急信号を受信することを特徴とする付記１記載の受信装置。
【００５０】
（付記３）前記受信部が緊急信号を受信した場合には、警報を出力する警報部を有し、前記制御部は、前記受信部が一定期間、緊急信号を受信しないと、一定期間、前記受信部及び前記警報部を休止状態に制御することを特徴とする付記１又は２記載の受信装置。
【００５１】
（付記４）前記緊急信号は、緊急警報フラグ信号及び緊急警報信号を含み、前記警報部は、緊急警報信号の内容に応じて、異なる警報を出力することを特徴とする付記３記載の受信装置。
【００５２】
（付記５）前記警報部は、前記警報として、光又は音を出力することを特徴とする付記３記載の受信装置。
【００５３】
（付記６）前記緊急信号は、緊急警報フラグ信号及び緊急警報信号を含み、前記警報部は、前記緊急警報信号の内容に応じて、光又は音の出力の仕方が異なることを特徴とする付記４記載の受信装置。
【００５４】
（付記７）前記デジタル放送信号は、ＯＦＤＭ方式の地上波デジタル放送信号であり、前記受信部は、所定の帯域のみに限定してＦＦＴ処理を行うことを特徴とする付記１〜６のいずれか一に記載の受信装置。
【００５５】
（付記８）ブラウザ搭載機器に搭載され、前記受信部が緊急警報フラグ信号を受信した場合、ブラウザを起動し、インターネット上の緊急情報提供元に自動的にアクセスさせるブラウザ起動部を有することを特徴とする付記１〜７のいずれか一に記載の受信装置。
【００５６】
（付記９）ＧＰＳ機能搭載機器に搭載され、前記受信部が緊急警報フラグ信号を受信した場合には、ＧＰＳ機能を起動し、災害地域と現在位置との関係を表示させるＧＰＳ機能起動部を有することを特徴とする付記１〜７のいずれか一に記載の受信装置。
【００５７】
（付記１０）所定の品物に内蔵され、アンテナを前記品物の構成部分を利用して設置していることを特徴とする付記１記載の受信装置。
【図面の簡単な説明】
【００５８】
【図１】本発明の第１実施形態の要部の要部の回路図である。
【図２】本発明の第１実施形態の動作を説明するための図である。
【図３】本発明の第２実施形態の要部の回路図である。
【図４】本発明の第３実施形態の要部の回路図である。
【図５】本発明の第４実施形態の要部の回路図である。
【図６】本発明の第２実施形態の応用例を示す図である。
【図７】一般的な地上波デジタル放送受信装置の要部の回路図である。
【符号の説明】
【００５９】
１１、３１…受信部
１２、２７、３２…警報部
１３…制御部
３９…ブラウザ起動部
４０…ＧＰＳ機能起動部
【図１】
2006060458.tif 000003
【図２】
2006060458.tif 000004
【図３】
2006060458.tif 000005
【図４】
2006060458.tif 000006
【図５】
2006060458.tif 000007
【図６】
2006060458.tif 000008
【図７】
2006060458.tif 000009